【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
（ａ）５０〜９９．５重量パーセントの、ホモポリマー、コポリマーおよびこれらの混合物からなる群から選択される少なくとも１つのポリオキシメチレンポリマー；
（ｂ）０．５〜１０重量パーセントの少なくとも１つのポリマー；
（ｃ）０〜３０重量パーセントの１種または複数種の充填剤；ならびに
（ｄ）０〜１０重量パーセントの添加物
を含むポリオキシメチレン組成物であって、
（ａ）、（ｂ）、（ｃ）、および（ｄ）の総重量パーセントが１００パーセントであり、
（ｂ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマー（ｂ）の前記コア−リンク−アーム構造中の各アームの数平均分子量が５００〜１０，０００の範囲である
組成物。
【請求項２】
（ａ）（ｉ）５０〜９９．５重量パーセントの、ホモポリマー、コポリマーおよびこれらの混合物からなる群から選択される少なくとも１つのポリオキシメチレンポリマー；
（ｉｉ）０．５〜１０重量パーセントの少なくとも１つのポリマー；
（ｉｉｉ）０〜３０重量パーセントの１種または複数種の充填剤；ならびに
（ｉｖ）０〜１０重量パーセントの添加物
を提供する工程、
（ｂ）（ｉ）、（ｉｉ）、（ｉｉｉ）、および（ｉｖ）を組み合わせる工程
を含む、ポリオキシメチレン組成物の製造方法であって、
（ｉ）、（ｉｉ）、（ｉｉｉ）、および（ｉｖ）の総重量パーセントが１００パーセントであり、
（ｉｉ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマー（ｂ）の前記コア−リンク−アーム構造中の各アームの数平均分子量が５００〜１０，０００の範囲である
方法。
【請求項３】
（ａ）５０〜９９．５重量パーセントの、ホモポリマー、コポリマーおよびこれらの混合物からなる群から選択される少なくとも１つのポリオキシメチレンポリマー；
（ｂ）０．５〜１０重量パーセントの少なくとも１つのポリマー；
（ｃ）０〜３０重量パーセントの１種または複数種の充填剤；ならびに
（ｄ）０〜１０重量パーセントの添加物
を含む、ポリオキシメチレン組成物であって、
（ａ）、ｂ）、（ｃ）、および（ｄ）の総重量パーセントが１００パーセントであり、
（ｂ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマー（ｂ）の前記コア−リンク−アーム構造中の各アームの数平均分子量が５００〜１０，０００の範囲である
組成物を含む物品。
【請求項４】
（ａ）５０〜９９．５重量パーセントの、ホモポリマー、コポリマーおよびこれらの混合物からなる群から選択される少なくとも１つのポリオキシメチレンポリマー；
（ｂ）０．５〜１０重量パーセントの少なくともポリマー；
（ｃ）０〜３０重量パーセントの１種または複数種の充填剤；ならびに
（ｄ）０〜１０重量パーセントの添加物
を含むポリオキシメチレン組成物を成形して物品をもたらす工程
を含む、ポリオキシメチレン組成物を含む物品の製造方法であって、
（ａ）、（ｂ）、（ｃ）、および（ｄ）の総重量パーセントが１００パーセントであり、
（ｂ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマー（ｂ）の前記コア−リンク−アーム構造中の各アームの数平均分子量が５００〜１０，０００の範囲であり、
前記ポリオキシメチレン組成物が、
（Ａ）２２０℃および１００秒-1剪断速度でＡＳＴＭ  Ｄ３８３５によって測定される−０．００５よりも大きい溶融粘度安定性、ならびに同じポリオキシメチレンポリマーと、同じ添加物および充填剤とからなる組成物の同条件下で測定されるノッチ付きアイゾット衝撃強度と比較して、ＡＳＴＭ  Ｄ  ２５６−０６ａによって測定されるノッチ付きアイゾット衝撃強度の少なくとも１０パーセントの同時増加；
（Ｂ）同じポリオキシメチレンポリマーと、同じ添加物および充填剤とからなる組成物の同条件下で測定される相対見掛けキャピラリー溶融粘度と比較して、２２０℃および５５秒-1剪断速度でＡＳＴＭ  Ｄ  ３８３５によって測定される相対見掛けキャピラリー溶融粘度の少なくとも４０パーセントの低下；ならびに
（Ｃ）Ｔｙｐｅ  Ｉ検体へ成形されると、同じポリオキシメチレンポリマーと、同じ添加物および充填剤とからなる組成物の同条件下で測定される破断点伸びと比較して、５０ｍｍ毎分の試験速度でＡＳＴＭ  Ｄ６３８−０８によって測定される破断点伸びの少なくとも４パーセントの増加
からなる群から選択される少なくとも１つの特性を示す
方法。
【請求項５】
請求項４に記載の方法によって製造される物品。
【手続補正２】
【補正対象書類名】明細書
【補正対象項目名】０２２３
【補正方法】変更
【補正の内容】
【０２２３】
試験された線状ポリエチレングリコール−Ｌ２、Ｌ４、およびＬ７−のどれも破断点伸びの増加を示さなかった。それらの破断点伸びを測定するためのＰＯＭ組成物Ｂｏｌｔｏｒｎ（登録商標）ポリマー添加物の引張棒試料の成形は、これらの組成物の不安定性のために不可能であった。
以下に、本発明の好ましい態様を示す。
［１］  （ａ）５０〜９９．５重量パーセントの、ホモポリマー、コポリマーおよびこれらの混合物からなる群から選択される少なくとも１つのポリオキシメチレンポリマー；
（ｂ）０．５〜１０重量パーセントの少なくとも１つのポリマー；
（ｃ）０〜３０重量パーセントの１種または複数種の充填剤；ならびに
（ｄ）０〜１０重量パーセントの添加物
を含むポリオキシメチレン組成物であって、
（ａ）、（ｂ）、（ｃ）、および（ｄ）の総重量パーセントが１００パーセントであり、
（ｂ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマーｂ）の前記コア−リンク−アーム構造中の各アームの数平均分子量が５００〜１０，０００の範囲である
組成物。
［２］  前記ポリオキシメチレンポリマーがコポリマーを含む、［１］に記載のポリオキシメチレン組成物。
［３］  前記ポリオキシメチレンポリマーがホモポリマーを含む、［１］に記載のポリオキシメチレン組成物。
［４］  条件１９０／２．１６でのＡＳＴＭ、Ｄ１２３８−０４ｃによって測定される際に、０．１〜５０グラム／１０分の範囲であるポリマーメルト質量流量を有する、［１］から［３］のいずれかに記載のポリオキシメチレン組成物。
［５］  前記少なくとも１つのポリマー（ｂ）の前記コアが４〜４０個の炭素原子を含む、［１］から［４］のいずれかに記載のポリオキシメチレン組成物。
［６］  （Ｉ）または（ＩＩ）の前記少なくとも１つのポリマー（ｂ）の前記コアが１１８〜１０００の分子量を有する、［１］から［５］のいずれかに記載のポリオキシメチレン組成物。
［７］  前記少なくとも１つのポリマー（ｂ）の前記コアが、・ＣＨ2Ｃ（ＣＨ2Ｏ・）3、・ＣＨ2Ｃ（ＣＨ2ＣＨ3）（ＣＨ2Ｏ・）2、・ＯＣＨ2ＣＨ（Ｏ・）ＣＨ2・、・ＣＨ（Ｏ・）ＣＨ（Ｏ・）・、および・ＣＨ（Ｏ・）ＣＨ（Ｏ・）ＣＨ（Ｏ・）・からなる群から選択される１つまたは複数の単位を含む、［１］から［６］のいずれかに記載のポリオキシメチレン組成物。
［８］  前記少なくとも１つのポリマー（ｂ）の前記コアが、・ＯＣ（＝Ｏ）Ｏ・、・Ｃ（＝Ｏ）Ｏ・、・ＣＨ2ＣＨ2Ｏ・、・ＣＨ2ＣＨ2ＯＣＨ2ＣＨ2Ｏ・、および・ＣＨ2ＯＣＨ2ＯＣＨ2Ｏ・からなる群から選択される１つまたは複数の単位を含まない、［１］から［７］のいずれかに記載のポリオキシメチレン組成物。
［９］  （Ｉ）または（ＩＩ）の前記少なくとも１つのポリマー（ｂ）の前記リンクが、結合、・Ｏ・、・ＣＨ2Ｏ・、およびこれらの任意の組み合わせからなる群から選択される、［１］から［８］のいずれかに記載のポリオキシメチレン組成物。
［１０］  前記リンクが・Ｏ・である、［９］に記載のポリオキシメチレン組成物。
［１１］  前記少なくとも１つのポリマー（ｂ）の前記コアに結合した少なくとも１つのアームが、・Ｈ、・ＯＨ、・Ｒ、・Ｃ（＝Ｏ）ＯＲ、・Ｃ（＝Ｏ）ＮＲ2、・Ｃ（＝Ｏ）ＮＨＲ、・Ｃ（＝Ｏ）ＮＨ2、・ＯＣ（＝Ｏ）Ｒ、・Ｃ（＝Ｏ）Ｒ、・ＯＲ、および・Ｘ（式中、Ｒは、１〜１２個の炭素を有し、任意選択的に置換されていてもよい、アルキル基、環状基、シクロアルキル基、または芳香族基を含み、Ｘは、フッ素、塩素、臭素、ヨウ素、およびこれらの任意の組み合わせからなる群から選択される）から選択される末端基を有する、［１］から［１０］のいずれかに記載のポリオキシメチレン組成物。
［１２］  前記少なくとも１つのポリマー（ｂ）のアームの数が４〜２４の範囲である、［１］から［１１］のいずれかに記載のポリオキシメチレン組成物。
［１３］  前記少なくとも１つのポリマー（ｂ）のアームの数が４〜８の範囲である、［１２］に記載のポリオキシメチレン組成物。
［１４］  前記少なくとも１つのポリマー（ｂ）の前記コアに結合した各アームの数平均分子量が８００〜６０００の範囲である、［１］から［１３］のいずれかに記載のポリオキシメチレン組成物。
［１５］  各アームの数平均分子量が１８００〜５０００の範囲である、［１４］に記載のポリオキシメチレン組成物。
［１６］  前記少なくとも１つのポリマー（ｂ）の前記コアに結合した各アームが、ポリエーテル、好ましくはポリエチレンオキシドである、［１］から［１５］のいずれかに記載のポリオキシメチレン組成物。
［１７］  （ａ）（ｉ）５０〜９９．５重量パーセントの、ホモポリマー、コポリマーおよびこれらの混合物からなる群から選択される少なくとも１つのポリオキシメチレンポリマー；
（ｉｉ）０．５〜１０重量パーセントの少なくとも１つのポリマー；
（ｉｉｉ）０〜３０重量パーセントの１種または複数種の充填剤；ならびに
（ｉｖ）０〜１０重量パーセントの添加物
を提供する工程、
（ｂ）（ｉ）、（ｉｉ）、（ｉｉｉ）、および（ｉｖ）を組み合わせる工程
を含む、ポリオキシメチレン組成物の製造方法であって、
（ｉ）、（ｉｉ）、（ｉｉｉ）、および（ｉｖ）の総重量パーセントが１００パーセントであり、
（ｉｉ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマーｂ）の前記コア−リンク−アーム構造中の各アームの数平均分子量が５００〜１０，０００の範囲である
方法。
［１８］  前記少なくとも１つのポリマー（ｉｉ）の前記提供工程が、コアをアームに共有結合させること；アームをコアから成長させること；およびコアをアームから形成することからなる群から選択される方法でポリマー（ｉｉ）の前記コア−リンク−アーム構造を製造することをさらに含む、［１７］に記載の方法。
［１９］  前記リンクが・Ｏ・である、［１７］または［１８］に記載の方法。
［２０］  （ａ）５０〜９９．５重量パーセントの、ホモポリマー、コポリマーおよびこれらの混合物からなる群から選択される少なくとも１つのポリオキシメチレンポリマー；
（ｂ）０．５〜１０重量パーセントの少なくとも１つのポリマー；
（ｃ）０〜３０重量パーセントの１種または複数種の充填剤；ならびに
（ｄ）０〜１０重量パーセントの添加物
を含む、ポリオキシメチレン組成物であって、
（ａ）、ｂ）、ｃ）、およびｄ）の総重量パーセントが１００パーセントであり、
（ｂ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマーｂ）の前記コア−リンク−アーム構造中の各アームの数平均分子量が５００〜１０，０００の範囲である
組成物を含む物品。
［２１］  （ａ）５０〜９９．５重量パーセントの、ホモポリマー、コポリマーおよびこれらの混合物からなる群から選択される少なくとも１つのポリオキシメチレンポリマー；
（ｂ）０．５〜１０重量パーセントの少なくともポリマー；
（ｃ）０〜３０重量パーセントの１種または複数種の充填剤；ならびに
（ｄ）０〜１０重量パーセントの添加物
を含むポリオキシメチレン組成物を成形して物品をもたらす工程
を含む、ポリオキシメチレン組成物を含む物品の製造方法であって、
（ａ）、（ｂ）、（ｃ）、および（ｄ）の総重量パーセントが１００パーセントであり、
（ｂ）の前記少なくとも１つのポリマーが、
（Ｉ）コアが１個または複数の炭素原子を含み、前記１個または複数の炭素原子のいずれもがカーボネート炭素ではなく、前記１個または複数の炭素原子は少なくとも３つのアームに結合している
ようなコア−リンク−アーム構造を有する１種または複数種のポリマー；
（ＩＩ）各アームが繰り返し単位を含み、
コアが４５よりも大きい分子量を有し、前記アームの前記繰り返し単位を含まず、２つ以上のアームに結合しており、
コア−リンク−アーム構造中のコアに対するアームの質量比が３よりも大きい
ようなコア−リンク−アーム構造を有する１種または複数種のポリマー；ならびに
（ＩＩＩ）コアが１１８〜１０００の分子量を有し；
各リンクが、結合、・Ｏ・、・ＣＨ2Ｏ・、およびこれらの任意の組み合わせからなる群から選択される
ようなコア−リンク−アーム構造を有する１種または複数種のポリオール；ならびに
（ＩＶ）（Ｉ）、（ＩＩ）、および（ＩＩＩ）の任意の組み合わせ
からなる群から選択され、
前記少なくとも１つのポリマー（ｂ）の前記コア−リンク−アーム構造中の各アームの数平均分子量が５００〜１０，０００の範囲であり、
前記ポリオキシメチレン組成物が、
（Ａ）２２０℃および１００秒-1剪断速度でＡＳＴＭ  Ｄ３８３５によって測定される−０．００５よりも大きい溶融粘度安定性、ならびに同じポリオキシメチレンポリマーと、同じ添加物および充填剤とからなる組成物の同条件下で測定されるノッチ付きアイゾット衝撃強度と比較して、ＡＳＴＭ  Ｄ  ２５６−０６ａによって測定されるノッチ付きアイゾット衝撃強度の少なくとも１０パーセントの同時増加；
（Ｂ）同じポリオキシメチレンポリマーと、同じ添加物および充填剤とからなる組成物の同条件下で測定される相対見掛けキャピラリー溶融粘度と比較して、２２０℃および５５秒-1剪断速度でＡＳＴＭ  Ｄ  ３８３５によって測定される相対見掛けキャピラリー溶融粘度の少なくとも４０パーセントの低下；ならびに
（Ｃ）Ｔｙｐｅ  Ｉ検体へ成形されると、同じポリオキシメチレンポリマーと、同じ添加物および充填剤とからなる組成物の同条件下で測定される破断点伸びと比較して、５０ｍｍ毎分の試験速度でＡＳＴＭ  Ｄ６３８−０８によって測定される破断点伸びの少なくとも４パーセントの増加
からなる群から選択される少なくとも１つの特性を示す
方法。
［２２］  ［２１］に記載の方法によって製造される物品。
［２３］  前記提供する工程が、コアをアームに共有結合させること；アームをコアから成長させること；およびコアをアームから形成することからなる群から選択される方法で前記少なくとも１つのポリマー（ｂ）の前記コア−リンク−アーム構造を製造することをさらに含む、［２０］または［２２］に記載の物品。
［２４］  ギア；コンベヤーベルト部品；ベアリング；燃料用容器；自動車安全拘束装置用の部品；医薬品計量分配装置；医療注射器具；クランプ；締め具；バインディング；およびライター用部品の形態の、［２０］または［２２］に記載の物品。
［２５］  射出成形された［２０］または［２２］に記載の物品。
「２６」  前記成形工程が、２．５よりも大きいメルトフローレートを有する溶融ポリマーを必要とする少なくとも１つのチャネルを有する金型を用いて行われた、［２１］に記載の物品。